(57)【特許請求の範囲】
【請求項１】
コンベア上にて、箱形パッケージ内に定数個づつのティーバッグ等を順次充填し、該箱形パッケージの上端開口部を両側の張出し部とともに突合わせてシール閉塞して一側に折り倒し、該張出し部を箱形パッケージの側面に折り当てて該側面に熱加圧溶着するようにしたティーバッグ等のパッケージ方法において、シール閉塞して一側に折り倒した該張出し部を下支えバーにて下支えして垂れ下がりを防止するようにして、予熱具を該張出し部の垂れ下がりによる障害を受けずに側方から前進させて該箱形パッケージの側面に予熱を与えて溶着可能な半溶融の状態とし、次いで下動する折込み具により下支えを解かれた該張出し部を該側面に折り当て、該張出し部の外面が溶けない程度に熱を加えた押し加熱具にて該張出し部を押して該張出し部の内面を該側面に溶着し、該張出し部の外面に溶けによる溶着じわを生じさせないようにしたことを特徴とする箱形パッケージの閉塞張出し部の折り当て貼着方法。
【請求項２】
コンベア上にて定数個づつのティーバッグ等を順次充填し間歇走行する箱形パッケージ手段と、該箱形パッケージの上端開口部を両側の張出し部とともに突合わせシール閉塞する手段と、該シール閉塞部分を一側に折り倒す手段と、該張出し部の垂れ下がりを防止する下支え手段と、側方から前進して該箱形パッケージの側面を溶着可能な半溶融の状態にする予熱具の手段と、該張出し部を溶着可能な半溶融の該側面に折り当てする手段と、該張出し部の内面を該側面に溶着させる押し加熱具の手段とからなることを特徴とする箱形パッケージの閉塞張出し部の折り当て貼着装置。
【発明の詳細な説明】
【０００１】
【発明が属する技術分野】
この発明は箱形パッケージの閉塞張出し部の折り当て貼着方法およびその装置に関するものである。
【０００２】
【従来の技術】
従来、この種の箱形パッケージｐは図１１に示すようにティーバッグ等の内容物を充填した後、上端の開口部を両側の張出し部ごと突合わせて熱シールｓ閉塞し、これを一側に折り倒してから両側の張り出し部を箱形パッケージｐの両側外面に折り当てして外側から熱加圧を加えて両側外面に溶着するようにしてきたものである。
【０００３】
【発明が解決しようとする課題】
しかしながら、折り当てした張出し部を外側から熱加圧にて両側外面に溶着すると張出し部の外面も溶けて溶着じわχが生ずるという課題があった。
【０００４】
【課題を解決するための手段】
本発明はコンベア上にて、箱形パッケージ内に定数個づつのティーバッグ等を順次充填し、該箱形パッケージの上端開口部を両側の張出し部とともに突合わせてシール閉塞して一側に折り倒し、該張出し部を箱形パッケージの側面に折り当てて該側面に熱加圧溶着するようにしたティーバッグ等のパッケージ方法において、シール閉塞して一側に折り倒した該張出し部を下支えバーにて下支えして垂れ下がりを防止するようにして、予熱具を該張出し部の垂れ下がりによる障害を受けずに側方から前進させて該箱形パッケージの側面に予熱を与えて溶着可能な半溶融の状態とし、次いで下動する折込み具により下支えを解かれた該張出し部を該側面に折り当て、該張出し部の外面が溶けない程度に熱を加えた押し加熱具にて該張出し部を押して該張出し部の内面を該側面に溶着し、該張出し部の外面に溶けによる溶着じわを生じさせないようにして、かかる課題を解決したのである。
【０００５】
【発明の実施の形態】
箱形パッケージ１は図１に示すようにティーバッグｔなどの内容物を１０個等の定数個にて順次充填して後、上端の開口部１ａを帯状に突合わせて閉塞シール１ｂする。１ｃ，１ｃは閉塞シール１ｂの両側に突出した張出し部、１ｄは開封後の開閉に用する開閉チャック帯である。
【０００６】
本発明の装置は図２に示すようにコンベア２の上方の位置に張出し部１ｃ，１ｃを含んで閉塞シール１ｂを一側に折り倒すと同時に箱形パッケージ１を安定して支持するための上部押えバー３と、張出し部１ｃ，１ｃを下支えする下支えバー４ａ，４ｂとを設け、コンベア２の両側方に進退自在に設けた２組の予熱具５ａ，５ｂと、張出し部１ｃ，１ｃを箱形パッケージ１の側面に折り当てするために上下動する折込み具６ａ，６ｂと、張出し部１ｃ，１ｃの戻り上がりを抑える挟み案内レール７ａ，７ｂを備え、折り当てた張出し部１ｃ，１ｃの内面を箱形パッケージ１の側面に溶着する２組の押し加熱具８ａ，８ｂ、および折り倒しされた閉塞シール部１ｂを箱形パッケージ１の上面上に隙間なく押し付けするための上面押え具９を設けている。
【０００７】
コンベア２上を並列して間歇走行する箱形パッケージ１は、上端開口部より定数個づつのティーバッグ等を順次充填し、次いで上端開口部を両側の張出し部とともにシール閉塞し、図３乃至図４に示すように上部押えバー３にて閉塞シール部１ｂを両側の張出し部１ｃ，１ｃごと一側に折り倒し押さえして且つ下支えバー４ａ，４ｂにて張出し部１ｃ，１ｃの下面を支えて垂れ下がりを防止する安定した姿勢状態にしておいて、側方から前進する予熱具５ａ，５ｂにより箱形パッケージ１の両側面１ｅ，１ｅの一部に予熱を与えて溶着可能な半溶融の状態とするのである。下支えバー４ａ，４ｂにて張出し部１ｃ，１ｃを下支えして垂れ下がりを防止するようにしたので、予熱具３ａ，３ｂは障害なく前進して箱形パッケージ１の両側面に予熱を与えて溶着可能な半溶融の状態にすることができる。なお図２では予熱具は２組において設けているが１組または３組等において設けることもある。
【０００８】
次いで張出し部１ｃ，１ｃは下支えバー４ａ，４ｂによる下支えが解かれ、下動する折込み具６ａ，６ｂにて箱形パッケージ１の両側面すなわち溶着可能な半溶融の状態にある側面１ｅ，１ｅに折り当てられ、案内レール７ａ，７ｂにて張出し部１ｃ，１ｃの戻り上がりを抑え、ほぼ同時に下動する上面押え具９にて図７乃至図８に示すように閉塞シール１ｂを箱型パッケージ１の上面上に押し付けておいて案内レール７ａ，７ｂの切欠部から前進する押し加熱具８ａ，８ａにより張出し部１ｃ，１ｃを該両側面１ｅ，１ｅに押し付けて張出し部１ｃ，１ｃの内面を該側面に溶着させるのである。この際押し加熱具８ａ，８ｂは２度押しして溶着を安定させ、しかも押し加熱具８ａ，８ｂは張出し部１ｃ，１ｃの外面が溶けない程度に熱が加えられているので、張出し部１ｃ，１ｃの外面は溶けることがなく、従って溶着じわを作らないこととなる。なお本発明はその後に溶着部の温度を下げて箱形パッケージを迅速に固定化させる冷却装置（図示してない）を備えることもある。
【０００９】
【発明の効果】
本発明は以上のようにしてシール閉塞した張出し部を箱形パッケージの側面に折り当てる前に該張出し部を下支えバーにて下支えして垂れ下がり防止するようにしたので、予熱具は張出し部の垂れ下がりによる障害を受けずに前進して箱形パッケージの両側面に予熱を与えて溶着可能な半溶融の状態とし、然る後下支えを解かれた張出し部を該側面に折り当てて外面が溶けない程度の熱をもった押し加熱具にて該張出し部を押し溶着するようにしたので、張出し部は外面が溶けず、従って外面に溶着じわを作らずに内面のみが側面に溶着して、外観を極めて良好とする箱形パッケージを提供することができるという効果を生ずる。
【図面の簡単な説明】
【図１】  箱形パッケージを示す図
【図２】  本発明装置の平面図
【図３】  上部押えバーと下支えバーによる張出し部の支え状態を示す側面図
【図４】  同、予熱具により箱形パッケージの両側面に予熱を与えている状態を示す部分正面図
【図５】  箱形パッケージが折込み具下に相対した状態を示す部分正面図
【図６】  張出し部を折り倒した状態を示す部分正面図
【図７】  同、上面押え具により折り倒された帯状シールを箱形パッケージの上面に押付けた状態を示す部分正面図
【図８】  同、部分側面図
【図９】  押し加熱具により折込み倒した張出し部を側方より押し加熱して箱形パッケージの側面に内面貼着する状態を示す部分拡大平面図
【図１０】  貼着作業の終了した箱形パッケージの側面図
【図１１】  従来例図
【符号の説明】
１は箱形パッケージ
１ａは開口部
１ｂは閉塞シール部
１ｃ，１ｃは張出し部
１ｄは開閉チャック
２はコンベア
３は上部押えバー
４ａ，４ｂは下支えバー
５ａ，５ｂは予熱具
６ａ，６ｂは折込み具
７ａ，７ｂは案内レール
８ａ，８ｂは押し加熱具
９は上面押え具
【図１】
0003664389.tif 000002
【図２】
0003664389.tif 000003
【図３】
0003664389.tif 000004
【図４】
0003664389.tif 000005
【図５】
0003664389.tif 000006
【図６】
0003664389.tif 000007
【図７】
0003664389.tif 000008
【図８】
0003664389.tif 000009
【図９】
0003664389.tif 000010
【図１０】
0003664389.tif 000011
【図１１】
0003664389.tif 000012